(57)【特許請求の範囲】
【請求項１】
口部の周囲に中栓体が嵌合されたチューブ容器本体と、該中栓体に取り付けられるワンタッチキャップとからなり、そのワンタッチキャップが、蓋体基部と、その蓋体基部にヒンジ部で連結され、該ヒンジ部を支点として開閉自在に構成されている蓋体とを備えている閉鎖膜付チューブにおいて、
該蓋体基部の内側に、中栓体に形成された雄ねじと螺合する、雌ねじが形成された筒体が設けられ、
該筒体に、その天面部から下方に延び、下端が尖端に形成された略筒状で、その側面に複数の孔が形成され、それら孔の上方の縁部がそれぞれ側面周りにほぼ同じ高さになるように形成されている針体と、その針体の内部と天面部を貫通して通じており、該筒体の上面から上方に延びる筒状の部分とが形成され、
該ワンタッチキャップを回転することにより、前記筒体及び針体が口部の雄ねじに螺合しながら下降し、
チューブ容器本体の閉鎖膜が針体で穿孔されると同時に、筒体の下端に形成された複数の羽根片が、中栓体の肩部に沿って折曲し、かつ半径方向外側に広がり、
該針体の孔が、その孔の上縁付近までチューブ容器の開口端に挿入されることを特徴とする、閉鎖膜付チューブ。
【請求項２】
チューブ容器本体と、そのチューブ容器本体に取り付けられるワンタッチキャップとからなり、該ワンタッチキャップが、蓋体基部と、その蓋体基部にヒンジ部で連結され、該ヒンジ部を支点として開閉自在に構成されている蓋体とを備えている閉鎖膜付チューブにおいて、
該蓋体基部の内側に、チューブ容器本体の口部の雄ねじと螺合する、雌ねじが形成された筒体が設けられ、
該筒体に、その天面部から下方に延び、下端が尖端に形成された略筒状で、その側面に複数の孔が形成され、それら孔の上方の縁部がそれぞれ側面周りにほぼ同じ高さになるように形成されている針体と、その針体の内部と天面部を貫通して通じており、該筒体の上面から上方に延びる筒状の部分とが形成され、
該ワンタッチキャップを回転することにより、前記筒体及び針体が口部の雄ねじに螺合しながら下降し、
チューブ容器本体の閉鎖膜が針体で穿孔されると同時に、筒体の下端に形成された複数の羽根片が、チューブ容器本体の肩部に沿って折曲し、かつ半径方向外側に広がり、
該針体の孔が、その孔の上縁付近までチューブ容器の開口端に挿入されることを特徴とする、閉鎖膜付チューブ。
【発明の詳細な説明】
【０００１】
【発明の属する技術分野】
この発明は、誤操作を防止した閉鎖膜付チューブに関し、さらに詳しくは、ワンタッチキャップの回転操作のみで閉鎖膜を穿孔することができる誤操作を防止した閉鎖膜付チューブに関する。
【０００２】
【従来の技術】
従来、医薬品、化粧品、食料品等を収納するチューブ容器には、口部に閉鎖膜を設けて、流通過程において内容物を保護するものがある。このような誤操作を防止した閉鎖膜付チューブから内容物を取り出す場合は、キャップの雌ネジ部と反対側に設けられた針体の先端を、閉鎖膜に突き刺して閉鎖膜を破り、内容物を抽出していた。
【０００３】
このような従来の誤操作を防止した閉鎖膜付チューブとしては、図８及び図９に示すものがある。図中、５０はチューブ容器本体であり、チューブ容器本体５０の口部５１には閉鎖膜５２が形成されている。そして、口部５１に螺合するキャップ５３の雌ネジ部と天面５４を介して反対側に凹所５５が形成され、この凹所５５の中央部に針体５６が形成されている。この針体５６で閉鎖膜５２を突き刺して破ることにより、チューブ容器本体５０の口部５１は穿孔され、内容物の抽出が可能となる。
【０００４】
【発明が解決しようとする課題】
しかしながら、このような発明にあっては、以下に示す欠点がある。
（１）不用意な誤操作により、閉鎖膜５２が穿孔されてしまう。
（２）キャップ５３を口部５１から一旦取り外した後、キャップ５３を逆さにし、針体５６の先端を下側に向けて、閉鎖膜５２を破らなければならないので、キャップを外し、かつ逆さにしなければならない煩わしさがあり、また閉鎖膜を穿孔した後も、キャップの螺合操作、取り外し操作が必要である。
（３）閉鎖膜５２を破る際に、針体５６に内容物が付着するため、内容物が付着した状態で再度キャップを締めた場合、針体５６が上向きになり、美感を損なう欠点がある。
（４）従来、キャップの針体で、閉鎖膜を穿孔した後、再度キャップを取付けた場合において、閉鎖膜を穿孔したか否かを、キャップ及び閉鎖膜付チューブの外観から判断することは不可能であった。
【０００５】
この発明は、このような従来の課題に着目してなされたもので、誤操作による穿孔を防止でき、閉鎖膜の穿孔操作が容易であると共に、キャップの美感が良好であり、一旦穿孔した後は、キャップの螺合操作、取り外し操作を必要としない、誤操作を防止した閉鎖膜付チューブを提供することを目的とする。
【０００６】
【課題を解決するための手段】
この課題を解決するため、請求項１記載の発明に対応する手段は、口部の周囲に中栓体が嵌合されたチューブ容器本体と、該中栓体に取り付けられるワンタッチキャップとからなり、そのワンタッチキャップが、蓋体基部と、その蓋体基部にヒンジ部で連結され、該ヒンジ部を支点として開閉自在に構成されている蓋体とを備えている閉鎖膜付チューブにおいて、該蓋体基部の内側に、中栓体に形成された雄ねじと螺合する、雌ねじが形成された筒体が設けられ、該筒体に、その天面部から下方に延び、下端が尖端に形成された略筒状で、その側面に複数の孔が形成され、それら孔の上方の縁部がそれぞれ側面周りにほぼ同じ高さになるように形成されている針体と、その針体の内部と天面部を貫通して通じており、該筒体の上面から上方に延びる筒状の部分とが形成され、該ワンタッチキャップを回転することにより、前記筒体及び針体が口部の雄ねじに螺合しながら下降し、チューブ容器本体の閉鎖膜が針体で穿孔されると同時に、筒体の下端に形成された複数の羽根片が、中栓体の肩部に沿って折曲し、かつ半径方向外側に広がり、該針体の孔が、その孔の上縁付近までチューブ容器の開口端に挿入されることを特徴とする、閉鎖膜付チューブである。
また、請求項２記載の発明に対応する手段は、チューブ容器本体と、そのチューブ容器本体に取り付けられるワンタッチキャップとからなり、該ワンタッチキャップが、蓋体基部と、その蓋体基部にヒンジ部で連結され、該ヒンジ部を支点として開閉自在に構成されている蓋体とを備えている閉鎖膜付チューブにおいて、該蓋体基部の内側に、チューブ容器本体の口部の雄ねじと螺合する、雌ねじが形成された筒体が設けられ、該筒体に、その天面部から下方に延び、下端が尖端に形成された略筒状で、その側面に複数の孔が形成され、それら孔の上方の縁部がそれぞれ側面周りにほぼ同じ高さになるように形成されている針体と、その針体の内部と天面部を貫通して通じており、該筒体の上面から上方に延びる筒状の部分とが形成され、該ワンタッチキャップを回転することにより、前記筒体及び針体が口部の雄ねじに螺合しながら下降し、チューブ容器本体の閉鎖膜が針体で穿孔されると同時に、筒体の下端に形成された複数の羽根片が、チューブ容器本体の肩部に沿って折曲し、かつ半径方向外側に広がり、該針体の孔が、その孔の上縁付近までチューブ容器の開口端に挿入されることを特徴とする、閉鎖膜付チューブ。
【０００７】
【実施の形態】
図１〜図６は、この発明に係る第１の実施形態を示す断面図である。チューブ容器本体１及び閉鎖膜２は、アルミ等の金属材料又はポリエチレン等の合成樹脂材料で造られると共に、ワンタッチキャップ３は、ポリエチレン等の合成樹脂で造られている。このワンタッチキャップ３は、上部の蓋体３ａと下部の蓋体基部３ｂとから構成され、ヒンジ部８で開閉自在に連結されている。蓋体基部３ｂの内側に形成された筒体５には、雌ねじが形成されており、この雌ねじにはチューブ容器本体１の口部４に嵌合された中栓体９の雄ねじが螺合されている。又、筒体５の天面にはその尖端が閉鎖膜２と相対向するように、針体６が形成されている。そして、この針体６の側面には複数の孔６ａが穿設されている。筒体５の雌ネジに連続してその下端には、スリット（図示せず）で、一定間隔毎に仕切られた複数の羽根片７（第１実施の形態では８枚、図６参照）が形成されている。この羽根片７は、ワンタッチキャップ３がねじに沿って下降することにより、過誤により針体６で閉鎖膜２が穿孔されるのを防止するために形成されている。すなわち、スペーサーとしての機能を果たしている。なお、羽根片７は筒体５の全周ではなく、部分的に形成されてもよい。また、ワンタッチキャップ３の内側中心には蓋体係合片３ｄが形成され、この蓋体係合片３ｄは、蓋体基部３ｂの針体６の上方に形成されたワンタッチキャップ３の口部３ｃと開閉自在に係合している。
【０００８】
次に、図７は、第２の実施形態を示すもので、この第２の実施形態の特徴は、ワンタッチキャップ１３の蓋体基部１３ｂに形成された筒体１５の雌ねじに、チューブ本体１１が直接螺合されている点にある。すなわち、第１実施の形態のように、ワンタッチキャップの蓋体基部の筒体が、中栓体に螺合しているのではなく、ワンタッチキャップ１３の筒体１５の雌ねじと、チューブ容器本体１１の口部１４の雄ねじが、直接に螺合している。その他の構成は、第１実施の形態と同様である。
【０００９】
次に、この発明の作用について説明する。まず、閉鎖膜２、１２を穿孔して口部４、１４を穿孔する場合は、ワンタッチキャップ３、１３を回転して、チューブ容器本体１、１１の口部４、１４の雄ネジに沿って、筒体５、１５を螺合しながら下降する。針体６、１６も同様に回転しながら下降するので、図５に示すように口部４、１４が開口される。又、穿孔と同時に、筒体５、１５の雌ねじの下端に形成された複数の羽根片７、１７が、図６に示すように、筒体５、１５の押圧作用により、その複数の羽根片７、１７は、夫々第１実施の形態においては中栓体９のテーパ状の肩部９ａに沿って、第２実施の形態においてはチューブ容器本体１１のテーパー状の肩部１１ａに沿って、徐々に半径方向外側に折曲される。この羽根片７、１７は、過誤による弱い押圧力では折曲しないが、強い押圧力では折曲するので、過誤により閉鎖膜２、１２が穿孔されるのを防止するスペーサーとしての機能を有する。
【００１０】
又、閉鎖膜２、１２が針体６、１６により穿孔されると、ワンタッチキャップ３、１３が中栓体９又はチューブ容器本体１１の口部の下方に螺合しているので、閉鎖膜２、１２が針体６、１６により穿孔されたことが確認できる。閉鎖膜２、１２が穿孔されない場合と比較して、ワンタッチキャップ３、１３が、雄ネジの下方にまで螺合しているので、チューブ容器本体１、１１の閉鎖膜２、１２が、穿孔されていることを外観上容易に認識することができる。穿孔前と穿孔後とでは、５ｍｍ〜８ｍｍの差異を容易に目視できた。
さらに、ワンタッチキャップ３、１３とチューブ容器本体１、１１との隙間から、閉鎖膜２、１２が穿孔される前は、羽根片７、１７は中栓体９の肩部９ａに立った状態で当接しているが、穿孔された後は、羽根片７、１７は中栓体９の肩部９ａに、半径方向外側に広がる状態で当接しているので、穿孔の有無の判断が容易に目視できる。そして、図４に示すように、蓋体３ａ、１３ａを開けて、チューブ容器本体１、１１を押圧することにより、内容物は口部４、１４を経て、針体６、１６の孔６ａ、１６ａを通り外部に抽出される。一旦穿孔された後は、ワンタッチキャップ３、１３の蓋体３ａ、１３ａを、片手で開閉操作するだけで、内容物を容易に抽出することができる。
【００１１】
【発明の効果】
以上説明してきたように、この発明によれば、誤操作による穿孔を防止でき、閉鎖膜の穿孔操作が頗る容易であるという効果がある。又キャップの美感の面において優れると共に、閉鎖膜を穿孔したか否かを外観上容易に認識でき、一旦穿孔した後は、キャップの螺合を外すという面倒な操作がなく、蓋体を、片手で開閉操作するだけで、内容物を容易に抽出することができる効果を有する。
【図面の簡単な説明】
【図１】この発明に係る第１の実施形態を示す平面図。
【図２】この発明に係る第１の実施形態を示す断面図。
【図３】この発明に係る第１の実施形態において、ワンタッチキャップの蓋体を外した状態を示す平面図。
【図４】この発明に係る第１の実施形態において、ワンタッチキャップの蓋体を外した状態を示す断面図。
【図５】この発明に係る第１の実施形態において、針体で閉鎖膜を穿孔した状態を示す断面図。
【図６】図５のＡ−Ａ線の断面を示す平面断面図。
【図７】この発明に係る第２の実施形態を示す平面図。
【図８】従来の針付きキャップを有する閉鎖膜付チューブを示す正面断面図。
【図９】従来の針付きキャップを有する閉鎖膜付チューブにおいて、閉鎖膜を穿孔している状態を示す正面断面図。
【符号の説明】
１  １１  チューブ容器本体
２  １２  閉鎖膜
３  １３  ワンタッチキャップ
３ａ  １３ａ  蓋体
３ｂ  １３ｂ  蓋体基部
４  １４  口部
５  １５  筒体
６  １６  針体
６ａ  １６ａ  孔
７  １７  羽根片
８  １８  ヒンジ部
９  中栓体
９ａ  １１ａ  肩部
【図１】
0004147031.tif 000002
【図２】
0004147031.tif 000003
【図３】
0004147031.tif 000004
【図４】
0004147031.tif 000005
【図５】
0004147031.tif 000006
【図６】
0004147031.tif 000007
【図７】
0004147031.tif 000008
【図８】
0004147031.tif 000009
【図９】
0004147031.tif 000010